(57)【特許請求の範囲】
【請求項１】
地表から所定長さ突出して打設された複数の鋼杭と、複数の前記鋼杭の突出部位にボルトにて分離可能に一体に連結されて架設され、上部建物を接合支持する鋼梁と、前記上部建物から、該上部建物と鋼梁との接合部分を含んで前記鋼杭の突出部位に至る建物の下側周部を覆う板状の側板と、を備えた木造建築用基礎構造の補修工法において、
前記鋼杭に不等沈下が生じた場合に、前記鋼杭の沈下部分にかかる前記ボルトを外し、前記鋼梁より上側の沈下修正を行い、該沈下修正により発生した前記鋼杭と前記鋼梁との隙間にスペーサを追加して前記ボルトにて再連結することを特徴とする木造建築用基礎構造の補修工法。
【請求項２】
前記鋼梁に架設されるスラブ材を備えたことを特徴とする請求項１に記載の木造建築用基礎構造の補修工法。
【請求項３】
前記鋼杭の突出部位を被覆する被覆部を備えたことを特徴とする請求項１又は請求項２に記載の木造建築用基礎構造の補修工法。
【発明の詳細な説明】
【０００１】
【発明の属する技術分野】
本発明は、木造建築において上部建物の土台を支持するために施工される木造建築用基礎構造の補修工法に関するものである。
【０００２】
【従来の技術】
図３は従来の木造建築用基礎構造の一例を示す側断面図である。
図３に示すように、従来の木造建築用基礎構造は、鉄筋コンクリートあるいは無筋コンクリートからなるコンクリート部５０を主体としている。コンクリート部の下側には、鋼管杭などの杭５１が打設されている。コンクリート部５０と杭５１は、コンクリート部５０と一体となる増し打コンクリート部５２を介して連接されている。また、コンクリート部５０が杭５１と連接していない下側には、地面上に玉石５３が敷設され、その上に防湿フィルム５４が介在されている。そして、コンクリート部５０の上側には、上部建物５５が不図示のアンカーボルトにより接合される。
【０００３】
【発明が解決しようとする課題】
しかしながら、上述した従来の木造建築用基礎構造では、杭５１の打設完了後、コンクリート部５０の施工が完了するまでにコンクリートの養生を含め１０日乃至１４日程度必要である。また、上部建物５５は、異なる材質であるコンクリート部５０に接合されるために、コンクリート部５０の施工が完了するまでは施工を行うことができない。これにより、木造建築全ての施工に多くの時間を要してしまうという問題がある。
【０００４】
また、従来の木造建築用基礎構造では、コンクリート部５０と杭５１とが増し打コンクリート部５２の打設により連接されている。これにより、上部建物５５の荷重が、コンクリート部５２に一度伝達された後で杭５１に伝達されるため、十分な剛性が得られないおそれがある。
【０００５】
また、従来の木造建築用基礎構造では、埋設された杭５１にコンクリート部５０（増し打コンクリート部５２）を打設する構成のため、杭５１およびコンクリート部５０に不等沈下が生じた場合、これを復旧させることが困難である。なお、この復旧は不可能ではないが、地面を掘り起こして杭５１を表出させる必要があるために、手間およびコストがかかるという問題がある。
【０００６】
そこで本発明は、上記課題を解消するために、施工時間を短縮し、且つ、上部建物の荷重を十分に支持する剛性を有し、さらに、不等沈下時の復旧を容易に行うことができる木造建築用基礎構造の補修工法を提供することを目的としている。
【０００７】
【課題を解決するための手段】
上記目的を達成するため本発明による請求項１に記載の木造建築用基礎構造の補修工法は、地表から所定長さ突出して打設された複数の鋼杭と、複数の前記鋼杭の突出部位にボルトにて分離可能に一体に連結されて架設され、上部建物を接合支持する鋼梁と、前記上部建物から、該上部建物と鋼梁との接合部分を含んで前記鋼杭の突出部位に至る建物の下側周部を覆う板状の側板と、を備えた木造建築用基礎構造の補修工法において、前記鋼杭に不等沈下が生じた場合に、前記鋼杭の沈下部分にかかる前記ボルトを外し、前記鋼梁より上側の沈下修正を行い、該沈下修正により発生した前記鋼杭と前記鋼梁との隙間にスペーサを追加して前記ボルトにて再連結することを特徴とする。
【０００８】
請求項２に記載の木造建築用基礎構造の補修工法は、請求項１に記載の木造建築用基礎構造において、前記鋼梁に架設されるスラブ材を備えたことを特徴とする。
【０００９】
請求項３に記載の木造建築用基礎構造の補修工法は、請求項１あるいは請求項２に記載の木造建築用基礎構造において、前記鋼杭の突出部位を被覆する被覆部を備えたことを特徴とする。
【００１０】
【発明の実施の形態】
以下、本発明の実施の形態を図面を参照して具体的に説明する。
【００１１】
図１は本発明の木造建築用基礎構造の一例を示す側断面図、図２は図１におけるＡ−Ａ断面図である。
【００１２】
図１および図２に示すように、本発明の木造建築用基礎構造は、主に、鋼杭１と、鋼梁２とからなる。
鋼杭１は、鋼管杭などからなり、上部建物３の下側となる地面の複数箇所に打設される。具体的には、上部建物３の土台や大引などの下側が好ましい。この鋼杭１は、地表から所定長さＬ（例えば２００ｍｍ〜３００ｍｍなど）突出して打設される。
【００１３】
鋼梁２は、鋼杭１の突出部位となる突出端に一体に連結される。鋼梁２は、本実施の形態では、Ｈ型鋼をなし、鋼杭１に対し、ボルト４によって直接連結されることにより、複数の鋼杭１に架設される。鋼梁２の上側には、上部建物３の土台や大引などがボルト５によって接合される。なお、図１および図２において、符号６は上部建物３の床根太、符号７は上部建物３の床下地合板を示す。
【００１４】
上記鋼梁２には、スラブ材８が架設されている。スラブ材８は、鋼梁２に適宜固定される。スラブ材８は、本実施の形態では、鉄骨造で使用されているデッキスラブを採用している。このスラブ材８は、床下の湿気対策である防湿土間コンクリートをなす。スラブ材８は、床下の湿気対策を行うものであれば、その材質・構造についてデッキスラブに限定されるものではない。
【００１５】
また、上部建物３から、上部建物３と鋼梁２との接合部分を含んで鋼杭１の突出部位（地面）に至る建物の下側周部は、板状の側板９にて覆われている。この側板９は、コンクリートからなることが好ましく、前記下側周部を錆などから保護し、且つ、下側周部にかかる化粧板をなす。側板９は、建物の下側周部を保護および化粧をなすものであれば、その材質についてコンクリートに限定されるものではない。
【００１６】
また、上記鋼杭１の突出部位は、被覆部１０にて被覆されている。この被覆部１０はコンクリートからなることが好ましく、一体のコンクリート造をなして、鋼杭１の補強および、錆などからの保護をする。被覆部１０は、鋼杭１の補強および保護をなすものであれば、その材質についてコンクリートに限定されるものではない。
【００１７】
したがって、上述した木造建築用基礎構造は、鋼杭１の打設完了後、鋼梁２を施工するだけで早ければ２日目に上部建物３を建てることが可能である。また、鋼梁２の施工が完了すれば、被覆部１０などの基礎工事と共に上部建物３の施工を平行して行う事が可能である。これにより、木造建築全ての施工時間を短縮することが可能となる。
【００１８】
また、上記基礎構造は、地面に打設された鋼杭１に対して鋼梁２をボルト４で連結し、さらに鋼梁２に対して上部建物３をボルト５で接合している。これにより、鋼杭１と上部建物３とが一体化し、建物荷重が鋼杭１に直接伝達するので、建物荷重を地盤に確実に伝えて、十分な剛性を得ることが可能となる。
【００１９】
また、上記基礎構造は、鋼杭１が地面から突出しており、その突出端に鋼梁２がボルト４で連結された構成である。これにより、鋼杭１に不等沈下が生じた場合には、沈下部分にかかるボルト４を外し、ジャッキなどの加力装置にて鋼梁２より上側の沈下修正を行い、発生した鋼杭１と鋼梁２の隙間に鉄板などのスペーサを追加してボルト４にて再連結すればよい。このように、不等沈下を完全に復旧することが可能である。
【００２０】
【発明の効果】
以上説明したように本発明による請求項１に記載の木造建築用基礎構造の補修工法は、鋼杭に不等沈下が生じた場合に、沈下部分にかかるボルトを外し、鋼梁より上側の沈下修正を行い、発生した鋼杭と鋼梁の隙間に鉄板などのスペーサを追加してボルトにて再連結することにより不等沈下を完全に復旧することができる。
本発明による補修工法が施される木造建築用基礎構造では、地表から所定長さ突出して打設された複数の鋼杭に、上部建物を接合支持する鋼梁を一体に連結したことにより、早期（２日目ほど）に上部建物の施工を行うことができる。また、鋼梁を施工した後の基礎工事と共に上部建物の施工を平行して行う事ができる。これにより、木造建築全ての施工時間を短縮することができる。さらに、上部建物から、上部建物と鋼梁との接合部分を含んで鋼杭の突出部位に至る建物の下側周部を板状の側板で覆うことにより、建物の下側周部の錆などからの保護、および化粧（目隠し）をすることができる。
【００２１】
また、鋼杭と鋼梁とはボルトなどで一体に連結可能であり、鋼梁と上部建物ともボルトなどで一体に接合が可能である。これにより、鋼杭と上部建物とが一体化し、建物荷重が鋼杭に直接伝達するので、十分な剛性を得ることができる。
【００２２】
また、鋼杭が地面から突出し、そこに鋼梁が連結された構成のため、鋼杭に不等沈下が生じた場合には、例えば、鋼杭と鋼梁の連結を外し、鋼梁より上側の沈下修正を行い、発生した鋼杭と鋼梁の隙間にスペーサを追加して再連結するなど、不等沈下を完全に復旧することができる。
【００２３】
請求項２に記載の補修工法が施される木造建築用基礎構造では、鋼梁にスラブ材を架設したことにより、床下の湿気対策を行うことができる。
【００２４】
請求項３に記載の補修工法が施される木造建築用基礎構造では、鋼杭の突出部位を被覆部にて被覆したことにより、鋼杭の補強および、錆などからの保護をすることができる。
【図面の簡単な説明】
【図１】  本発明の補修工法が施される木造建築用基礎構造の一例を示す側断面図。
【図２】  図１におけるＡ−Ａ断面図。
【図３】  従来の木造建築用基礎構造の一例を示す側断面図。
【符号の説明】
１…鋼杭、２…鋼梁、３…上部建物、４…ボルト、５…ボルト、６…床根太、７…床下地合板、８…スラブ材、９…側板、１０…被覆部。
【図１】
0004430200.tif 000002
【図２】
0004430200.tif 000003
【図３】
0004430200.tif 000004